(57)【特許請求の範囲】
【請求項１】
光コネクタを収容する筐体と、前記筐体に収容される光コネクタとを有する光コネクタユニットであって、
電気／光変換を行う光素子を収容すると共に光ファイバの端部に接続されたフェルールを前記光素子と接続した状態で収容可能なハウジングを備え、
前記ハウジングは、少なくとも両側壁が前記フェルールの接続口側に延在されかつ上方に開口するガイド部を有し、
前記ハウジングの両側壁及びガイド部の内側面とこれに対応する前記フェルールの両側面の何れか一方に前記フェルールの前記光素子への接続方向に沿ってガイド溝が形成されると共に何れか他方に前記ガイド溝に摺動可能に係合するガイドリブが形成され、
前記フェルールは、前記ハウジングの上方に開口するガイド部の間に上方から挿入され、前記ガイドリブが前記ガイド溝に摺動可能に係合された後、前記光素子への接続方向に沿って押動されることにより、前記ガイド部及び前記両側壁内を前記光素子に向かって摺動させることで、前記フェルールと光素子とが光接続状態となることを特徴とする光コネクタユニット。
【請求項２】
前記フェルールの上面に指掛け部が設けられていることを特徴とする、請求項１に記載の光コネクタユニット。
【請求項３】
前記指掛け部に係合すると共に前記ハウジングのガイド部の上端面に載置されて前記フェルールの前記光素子方向に沿って摺動可能とされ、前記フェルールを前記光素子との接続位置まで移動させた後に前記側壁に固定されて前記ハウジングに前記フェルールを固定するスライドガイド補助部材を備えたことを特徴とする、請求項２に記載の光コネクタユニット。
【請求項４】
光コネクタを収容する筐体と、前記筐体に収容される光コネクタとを有する光コネクタユニットであって、
接続すべき光ファイバの端部に夫々接続されたフェルールを両側から突き合わせて光接続した状態で収容可能なハウジングを備え、
前記ハウジングは、少なくとも両側の両側壁が前記フェルールの接続口側に延在されかつ上方に開口するガイド部を有し、
前記ハウジングの両側壁及びガイド部の内側面とこれに対応する前記フェルールの両側面の何れか一方に前記フェルールの他方のフェルールへの接続方向に沿ってガイド溝が形成されると共に何れか他方に前記ガイド溝に摺動可能に係合するガイドリブが形成され、
前記フェルールは、前記ハウジングの上方に開口するガイド部の間に上方から挿入され、前記ガイドリブが前記ガイド溝に摺動可能に係合された後、前記他方のフェルールへの接続方向に沿って押動されることにより、前記ガイド部及び両側壁内を前記他方のフェルールに向かって摺動させることで、両フェルール同士が光接続状態となることを特徴とする光コネクタユニット。
【発明の詳細な説明】
【技術分野】
【０００１】
本発明は、光コネクタユニットに関する。
【背景技術】
【０００２】
光データ通信に用いられる光ファイバとシステム筐体内の基板等に設置されて電気／光変換を行う光素子とを光接続する光コネクタは、前記光素子が収容されたハウジングに前記光ファイバの端末に取り付けられたフェルールを嵌合固定し、これら光素子と光ファイバとを光接続するように構成されている（例えば、特許文献１参照。）。
【０００３】
例えば、車載ネットワークの光データ通信装置に用いられる光コネクタユニットとして図１９乃至図２１に示すような構成の光コネクタユニットが考えられる。図１９に示すように光コネクタユニット１は、筐体２にハウジング３とフェルール４とからなる光コネクタ５が収容されて構成されている。図２１に示すように光素子６は、ハウジング３に収容されており、フェルール４は、光ファイバ７の端末に取り付けられている。ハウジング３と光素子６は、基板８に実装され、当該基板８は、筐体２に収容されている。
【０００４】
ハウジング３にフェルール４を装着する場合、図２０に示すように作業者が指先でフェルール４を摘んで筐体２内のハウジング３の接続口（挿入口）３ａから組み込んで嵌合固定し、図２１に示すように光素子６と光ファイバ７の端面とを光軸を合わせて当接又は僅かな間隙を存して対向させて光接続する。
【特許文献１】特開２０００−３２９９７２号公報（５ページ、図１）
【発明の開示】
【発明が解決しようとする課題】
【０００５】
ところで、図１９乃至図２１に示す構成の光コネクタユニット１は、筐体２の幅が狭く当該筐体２内のハウジング３にフェルール４を組み込む場合、作業者が指先でフェルール４を摘んでハウジング３の接続口３ａから挿入するために組込作業性が悪くなる。特に、車載ネットワークの光データ通信装置のように光コネクタ５を複数並設して多極光コネクタユニットとする場合にはスペース的に制約があり、隣り合う光コネクタ５の間隔が狭くなり、組込作業性が低下する。組込作業性を高めるべく隣り合う光コネクタ５の間隔を広くするとこれに伴い装置全体が大型化してしまい、限られたスペースに設置することが困難となる。
【０００６】
また、多極光コネクタユニットとした場合、各光コネクタ５の各ハウジング３にフェルール４を組込む際に既に組み込まれて嵌合接続されたフェルール４の後方に延びる光ファイバ７を傷付ける可能性がある。更に、組込作業の際にフェルール４の端面側の光ファイバ７の端面を不用意にハウジング３の角等にぶつけて傷付ける可能性がある。
【０００７】
本発明は上述の点に鑑みてなされたもので、筐体に収容されたハウジングと光ファイバの端末に取り付けられたフェルールとを容易に接続することができると共にフェルールを組み込む際に光ファイバを傷付けることを防止するようにした光コネクタユニットを提供することを目的とする。
【課題を解決するための手段】
【０００８】
上記目的を達成するために本発明に係わる光コネクタユニットは、
光コネクタを収容する筐体と、前記筐体に収容される光コネクタとを有する光コネクタユニットであって、
電気／光変換を行う光素子を収容すると共に光ファイバの端部に接続されたフェルールを前記光素子と接続した状態で収容可能なハウジングを備え、
前記ハウジングは、少なくとも両側壁が前記フェルールの接続口側に延在されかつ上方に開口するガイド部を有し、
前記ハウジングの両側壁及びガイド部の内側面とこれに対応する前記フェルールの両側面の何れか一方に前記フェルールの前記光素子への接続方向に沿ってガイド溝が形成されると共に何れか他方に前記ガイド溝に摺動可能に係合するガイドリブが形成され、
前記フェルールは、前記ハウジングの上方に開口するガイド部の間に上方から挿入され、前記ガイドリブが前記ガイド溝に摺動可能に係合された後、前記光素子への接続方向に沿って押動されることにより、前記ガイド部及び前記両側壁内を前記光素子に向かって摺動させることで、前記フェルールと光素子とが光接続状態となることを特徴としている。
【０００９】
筐体に収容されているハウジングにフェルールを組み込む場合ガイド部の上方からフェルールを挿入し、次いで、ガイド部に沿ってハウジング内に収容されている光素子に向けてフェルールを移動させて、光素子と光ファイバとを光接続する。これにより、ハウジングにフェルールを嵌合することが容易となる。
【００１０】
特に、光コネクタを複数並設して多極光コネクタユニットを構成する場合各光コネクタユニットの筐体及び筐体間の間隔を狭くしてもフェルールの組込作業性の向上が図られると共に、既に嵌合接続された光ファイバを傷付けることなく接続することができる。
【００１２】
また、筐体に収容されているハウジングにフェルールを組み込む場合、ガイド部の上方からフェルールを挿入してガイド溝にガイドリブを係合する。フェルールは、ガイド溝とガイドリブとにより上下方向へのガタ付を防止される。次いで、フェルールを光素子に向けて移動させて光素子と光ファイバとを光接続する。
【００１３】
また、本発明の請求項２に記載の光コネクタユニットは、請求項１に記載の光コネクタユニットにおいて、前記フェルールの上面に指掛け部が設けられていることを特徴としている。
【００１４】
筐体に収容されているハウジングにフェルールを組み込む場合、フェルールの指掛け部を指で摘んでガイド部の上方から挿入し、ガイド溝にガイドリブを係合する。次いで、指掛け部を摘んだ状態で光素子に向けて移動させて光素子と光ファイバとを光接続する。
【００１５】
また、本発明の請求項３に記載の光コネクタユニットは、請求項２に記載の光コネクタユニットにおいて、前記指掛け部に係合すると共に前記ハウジングのガイド部の上端面に載置されて前記フェルールの前記光素子方向に沿って摺動可能とされ、前記フェルールを前記光素子との接続位置まで移動させた後に前記側壁に固定されて前記ハウジングに前記フェルールを固定するスライドガイド補助部材を備えたことを特徴としている。
【００１６】
筐体に収容されているハウジングにフェルールを組み込む場合、フェルールの指掛け部を指で摘んでガイド部の上方から挿入し、ガイド溝にガイドリブを係合する。次いで、ガイド部の上端面にスライドガイド補助部材を載置して指掛け部に係合させ、このスライドガイド補助部材によりフェルールを光素子に向けて移動させて光素子と光ファイバとを光接続する。スライドガイド補助部材は、フェルールを移動させた後ハウジングの側壁に固定される。これにより、ハウジングにフェルールを嵌合した後の当該フェルールのガタ付が防止される。
【００１７】
また、光コネクタを複数並設して構成した多極光コネクタユニットにおいて、各ハウジングと各フェルールとを一度に嵌合接続することが可能であり、作業性の向上が図られる。
【００１８】
また、本発明の請求項４に記載の光コネクタユニットは、
光コネクタを収容する筐体と、前記筐体に収容される光コネクタとを有する光コネクタユニットであって、
接続すべき光ファイバの端部に夫々接続されたフェルールを両側から突き合わせて光接続した状態で収容可能なハウジングを備え、
前記ハウジングは、少なくとも両側の両側壁が前記フェルールの接続口側に延在されかつ上方に開口するガイド部を有し、
前記ハウジングの両側壁及びガイド部の内側面とこれに対応する前記フェルールの両側面の何れか一方に前記フェルールの他方のフェルールへの接続方向に沿ってガイド溝が形成されると共に何れか他方に前記ガイド溝に摺動可能に係合するガイドリブが形成され、
前記フェルールは、前記ハウジングの上方に開口するガイド部の間に上方から挿入され、前記ガイドリブが前記ガイド溝に摺動可能に係合された後、前記他方のフェルールへの接続方向に沿って押動されることにより、前記ガイド部及び両側壁内を前記他方のフェルールに向かって摺動させることで、両フェルール同士が光接続状態となることを特徴としている。
【００１９】
接続すべき光ファイバを突き合わせて光接続する場合、筐体に収容されているハウジングの両端の上方に夫々開口するガイド部の上方から夫々フェルールを挿入し、次いで、各フェルールを突き合わせ接続する方向に移動させて光ファイバ同士を突き合わせて光接続する。これにより、接続すべき光ファイバの各フェルールをハウジングに容易に嵌合接続することができる。
【発明の効果】
【００２０】
本発明によると、フェルールをハウジングのガイド部の上方から挿入することで、ハウジングへの組込作業が容易となり、作業性の向上が図られる。特に、車載ネットワークの光データ通信装置のように設置スペースが制約された場所に光コネクタを複数並設して多極コネクタユニットとし隣り合う光コネクタの間隔が狭くなった場合でもフェルールの組込作業性が損なわれることがなくなり、作業性の向上が図られる。また、組込作業の際に不用意にフェルール端面側の光ファイバ端面をハウジングの角等にぶつけて傷付けるおそれもなくなる。
【００２１】
また、ハウジング側壁及びガイド部とフェルールとをガイド溝とガイドリブとにより係合することで、フェルールの上下方向へのガタ付が防止され、ハウジング内に収容されている光素子に向けてフェルールを円滑に摺動させて光素子と光ファイバとを光接続することができる。
【００２２】
また、フェルールの指掛け部を指で摘んでガイド部の上方からハウジングにフェルールを挿入することができ、ハウジングにフェルールを容易に組み込むことができる。
【００２３】
また、スライドガイド補助部材は、フェルールを光素子まで移動させた後ハウジングの側壁に固定されてハウジングにフェルールを固定することで、フェルールのガタ付が防止され、振動等が加わった場合でも光素子と光ファイバとの光接続を確実に保持することができる。更に、光コネクタユニットを複数並設して構成した多極光コネクタユニットにおいて、各ハウジングに各フェルールを一度に接続することが可能であり、作業性の向上が図られる。
【００２４】
更に、光ファイバ同士を突き合わせて光接続する場合、筐体に収容されているハウジングの両端に接続すべき光ファイバのフェルールを容易に嵌合接続することができ、光ファイバ同士を容易に光接続することができる。
【発明を実施するための最良の形態】
【００２５】
以下、本発明の最良の実施形態を図面に基づいて詳細に説明する。
【００２６】
図１は、本発明に係わる光コネクタユニットの平面図で、光コネクタユニット１１は、システム筐体（以下単に「筐体」という）１２にハウジング１３とフェルール１４とからなる光コネクタ１５が収容されて構成されている。光素子１６は、図４に示すように、ハウジング１３に収容されており、フェルール１４は、光ファイバ１７の端末に取り付けられている。ハウジング１３と光素子１６は、基板１８に実装され、当該基板１８は、筐体１２に収容されている。
【００２７】
図１、図３及び図４に示すようにハウジング１３は、両側壁１３ａ及び底部１３ｂがフェルール１４の接続口（挿入口）１３ｃ側に延在されて上方に開口する略角形Ｕ字形状をなしており、両側壁１３ａの延在部１３ｄがフェルール１４をガイドするガイド部（以下「ガイド部１３ｄ」という）とされている。そして、図３に示されるように両側壁１３ａ及びガイド部１３ｄの内側面にはハウジング１３に収容されている光素子１６に向けて水平に延びるガイド溝１３ｅが形成されている。また、フェルール１４の対向する側壁１４ａの外側面にはガイド溝１３ｅに係合して摺動可能なガイドリブ１４ｄが形成されている。
【００２８】
尚、ハウジング１３の側壁１３ａ及びガイド部１３ｄの内側面にガイドリブを形成すると共に、フェルール１４の側壁１４ａにガイド溝を形成しても良い。また、両側壁１３ａのみを延出させ、底部１３ｂを図１９乃至図２１に示すハウジング３のように形成しても良い。
【００２９】
ハウジング１３の底部１３ｂは、図４に示すように、接続口１３ｃ近傍に位置する先端部１３ｆが上方に鉤型に形成されており、フェルール１４との係合部（以下「係合部１３ｆ」という）とされている。また、フェルール１４の下面１４ｃの下側には略Ｌ字状をなし先端近傍から後端まで延出する摺動部１４ｅが形成されており、この摺動部１４ｅの下面所定位置に係合突部１４ｆが形成されている。この係合突部１４ｆは、フェルール１４の先端部１４ｂがハウジング１３の嵌合孔１３ｇに嵌合して光素子１６に光ファイバ１７が光接続されたときにハウジング１３の底部１３ｂの先端に形成された鉤型の係合部１３ｆと係合可能とされている。
【００３０】
尚、フェルール１４の下面１４ｃと摺動部１４ｅとの間には図示しないバネ部材が介在されており、ハウジング１３にフェルール１４が嵌合接続されたときに摺動部１４ｅを係合部１３ｆに圧接させてガタ付を防止するようになっている。
【００３１】
ハウジング１３の内部には光素子１６の例えば、受光面１６ａと対向して嵌合孔１３ｇが形成されており、フェルール１４の先端部１４ｂが嵌合可能とされている。フェルール１４は、接続口１３ｃからハウジング１３に嵌合されて先端部１４ｂが嵌合孔１３ｇに挿入嵌合され、光ファイバ１７の端面が受光面１６ａと僅かな間隙を存して又は当接して、かつ光軸が一致して光接続されるようになっている。これらのハウジング１３及びフェルール１４は、樹脂部材、金属部材あるいはセラミックス部材等により形成されている。
【００３２】
以下に上記光コネクタユニット１１の組み込み手順について説明する。
【００３３】
作業者は、図２に示すように、フェルール１４の上部を指で摘んでハウジング１３の上方に開口するガイド部１３ｄの間に上方から挿入し、両側壁１４ａに形成されているガイドリブ１４ｄをガイド部１３ｄの内側面に形成されているガイド溝１３ｅに係合させる（図３参照）。これにより、フェルール１４の上下方向のガタ付が防止される。この状態において、摺動部１４ｅの係合突部１４ｆの下面がハウジング３の底部１３ｂの上面に当接しており、フェルール１４に接続されている光ファイバ１７は、ガイドリブ１４ｄの間から後方に延出されている（図４参照）。
【００３４】
次いで、作業者がフェルール１４を図４に矢印で示す方向に押動すると、フェルール１４がガイドリブ１４ｄとガイド溝１３ｅとによりガイド部１３ｄ及び側壁１３ａ内を光素子１６に向かって摺動する。そして、図５に示すようにフェルール１４の先端部１４ｂがハウジング１３の嵌合孔１３ｇに嵌合して光素子１６に光ファイバ１７の端面が僅かな間隙を存して対向して光接続されたときにハウジング１３の底部１３ｂの先端に形成された係合部１３ｆにフェルール１４の摺動部１４ｅの係合突部１４ｆが係合する。これにより、フェルール１４がハウジング１３に逸脱不能に嵌合固定される。
【００３５】
このようにフェルール１４をハウジング１３のガイド部１３ｄの上方から挿入することで、筐体１２の幅が狭くてもハウジング１３に嵌合することが容易となり、組込作業性が向上する。また、ガイド部１３ｄの上方からハウジング１３にフェルール１４を挿入することで、組込作業の際にフェルール端面側の光ファイバ端面を筐体１２やハウジング１３の角等に不用意にぶつけて傷付けるおそれもなくなる。
【００３６】
また、前述したフェルール１４の下面１４ｃと摺動部１４ｅとの間に介在されている図示しないバネ部材により、ハウジング１３にフェルール１４が嵌合接続されたときに摺動部１４ｅを係合部１３ｆに圧接させてガタ付を防止している。
【００３７】
図６は、図１に示す光コネクタ１５を基板１８に複数例えば、４個並設して筐体１２内に収容して４極の光コネクタユニット２０を構成したものである。このように多極光コネクタユニット２０を構成する場合、隣り合う各光コネクタ１５の間はできる限り狭くして小型化を図ることが要求される。従って、このように隣り合う光コネクタ１５の隙間が狭い場合でも、上述したように各光コネクタ１５のハウジング１３にガイド部１３ｄの上方からフェルール１４を挿入することで作業性の向上が図られる。また、ハウジング１３にガイド部１３ｄを設けることで、フェルール１４の組み込みの際に他の光ファイバ１７を傷付けることが防止される。
【００３８】
図７は、フェルール１４の変形例を示し、フェルール１４の上面後部に指掛部１４ｈを形成したものである。この指掛部１４ｈは、図８に示すようにフェルール１４の長手方向に沿う平面視略Ｔ字状をなし、後部１４ｉが幅方向に延び、前部１４ｊがフェルール１４の先端部１４ｂ方向に延出されて形成されている。
【００３９】
そして、フェルール１４をハウジング１３に嵌合する場合、図７及び図９に示すように指掛部１４ｈを指先で摘んで上方からガイド部１３ｄに挿入し、両側壁１４ａに形成されているガイドリブ１４ｄをガイド部１３ｄの内側面に形成されているガイド溝１３ｅに係合させる（図３参照）。次いで、指掛部１４ｈを摘んだ状態で矢印方向に移動させて先端部１４ｂを嵌合孔１３ｇに嵌合させて光素子１６と光ファイバ１７とを光軸を合わせて当接又は僅かな間隙を存して対向させて光接続する。
【００４０】
図１０は、図７に示す光コネクタ１５を基板１８に複数例えば、４個僅かな間隔で並設して筐体１２内に収容して４極の光コネクタユニット２１を構成したものである。図１１は、図１０を後方（光ファイバ１７側）から見た図である。このように各光コネクタ１５間の隙間が狭い場合でも、各光コネクタ１５のハウジング１３にガイド部１３ｄの上方からフェルール１４の指掛部１４ｈを摘んで挿入し、更に指掛部１４ｈを摘んだ状態で移動させてハウジング１３に嵌合接続することで作業性の向上が図られる。
【００４１】
図１２は、図１０に示す多極光コネクタユニット２１に使用して好適なスライドガイド補助部材２２を備えた多極光コネクタユニット２１の平面図である。スライドガイド補助部材２２は、光ファイバ延在方向から見て略逆角形Ｕ字形状をなし、上壁２２ａが並設された４個の光コネクタ１５の各ハウジング１３のガイド部１３ｄを架橋して上端面に載置される幅とされ、側壁２２ｂの長さがガイド部１３ｄの長さの略半分程度とされ、高さがガイド部１３ｄの高さの略半分程度とされている。また、上壁２２ａの後端部２２ｃが後方に僅かに突出している。
【００４２】
上壁２２ａの前端部には各光コネクタユニット１１のフェルール１４の指掛部１４ｈと対応してこれらと係合する係合凹部としての切欠２２ｄが形成されており、切欠２２ｄの端面には図１６に示すように後壁２２ｅが側壁２２ｂと略同じ長さ下方に延出して形成されている。後壁２２ｅは、フェルール１４と同じ幅とされ、中央に下端から上壁２２ａの下面近傍まで光ファイバ１７を挿通させるためのスリット２２ｆが形成されている。また、両側壁２２ｂの前部に係合孔２２ｇが形成されている（図１３）。
【００４３】
一方、図１２、図１３に示すように左右両側に位置する光コネクタユニット１１のハウジング１３のスライドガイド補助部材２２の両側壁２２ｂの内側面と対向する側壁１３ａには、フェルール１４がハウジング１３に嵌合接続したときに係合孔２２ｇと係合して当該フェルール１４をハウジング１３に固定するための係合突部１３ｈが設けられている。
【００４４】
フェルール１４をハウジング１３に嵌合接続する場合、図１０に示すように各光コネクタ１５のハウジング１３のガイド部１３ｄに夫々フェルール１４を挿入した後、図１２及び図１３に示すようにこれらのガイド部１３ｄの上端面にスライドガイド補助部材２２を載置し、各フェルール１４の指掛部１４ｈに上壁２２ａの各切欠２２ｄを係合する。
【００４５】
次いで、このスライドガイド補助部材２２の両側壁２２ｂを指で挟んで矢印方向に水平に移動させる。これに伴い各フェルール１４が同時に矢印方向に移動する。そして、図１６に示すように各フェルール１４の先端部１４ｂがハウジング１３の嵌合孔１３ｇに嵌合されて光素子１６と光ファイバ１７とが光接続されたときにスライドガイド補助部材２２の両側壁２２ｂの係合孔２２ｇに左右両側のハウジング１３の側壁１３ａの係合突部１３ｈが係合する。これにより、スライドガイド補助部材２２がハウジング１３に固定され、各フェルール１４が強固に固定される。なお、この時、スライドガイド補助部材２２の上壁２２ａの各切欠２２ｄにばね等の付勢部材を設け、フェルール１４を光素子１６側へ付勢するようにしても良い。
【００４６】
図１７及び図１８は、本発明に係わる光コネクタユニットのハウジングの変形例を示し、光コネクタユニット３１の筐体３２は、両端及び上方に開口する側面視略角形Ｕ字形状をなしている。ハウジング３３は、図５に示すハウジング１３の光素子１６を取り除き、嵌合孔１３ｇの部位にて２つのハウジングを突き合わせた形状とされている。即ち、ハウジング３３は、両側壁３３ａの左右両端が２つのフェルール１４，１４’の接続口３３ｃ，３３ｃ’側に延在され、かつ上方に開口してフェルール１４，１４’を夫々ガイドするガイド部３３ｄ，３３ｄ’が形成されている。そして、これら２つのフェルール１４，１４’の先端部１４ｂ，１４ｂ’が嵌合する嵌合孔３３ｇ，３３ｇ’が中央部で連通されている。
【００４７】
また、ハウジング３３とフェルール１４，１４’には、例えば図３に示されるようなガイド溝とガイドリブを設けてもよく、両側壁３３ａ及び左右のガイド部３３ｄ，３３ｄ’の各内側面には夫々嵌合孔３３ｇ，３３ｇ’に向けてガイド溝が形成され、フェルール１４，１４’の対向する側壁の外側面には前記各ガイド溝に係合して摺動可能なガイドリブ（共に図示せず）が形成されている。
【００４８】
光接続すべき２本の光ファイバ１７と１７’とを接続する場合これらの端末に取り付けられているフェルール１４，１４’をガイド部３３ｄ，３３ｄ’の上方から挿入し（図２参照）、前記ガイドリブをガイド溝に係合させる。次いで、左右のフェルール１４，１４’を中央に向けて図１８に矢印で示す方向に夫々押動して各先端部１４ｂ，１４ｂ’を嵌合孔３３ｇ，３３ｇ’に嵌合させる。これにより、左右のフェルール１４，１４’及び光ファイバ１７，１７’の先端面が僅かな間隙を存し、かつ光軸が一致して光接続される。
【００４９】
この状態において左右のフェルール１４，１４’は、係合突部１４ｆ，１４ｆ’がハウジング３３の底部３３ｂ，３３ｂ’の各先端に形成された係合部３３ｆ、３３ｆ’に係合してハウジング３３に逸脱不能に嵌合固定される。このようにしてハウジング３３とフェルール１４，１４’とが嵌合接続され、光ファイバ１７と１７’とが光接続される。
【００５０】
なお、本発明におけるガイド部の高さは、フェルールの高さと同等かそれよりも低くすると、作業性をさらに向上することができ好ましい。
【図面の簡単な説明】
【００５１】
【図１】本発明に係わる光コネクタユニットの一実施形態の平面図である。
【図２】図１に示す光コネクタユニットのハウジングのガイド部にフェルールを挿入する場合の説明図である。
【図３】図２に示すハウジングのガイド部にフェルールを挿入した状態の後面図である。
【図４】図３に示す光コネクタユニットの矢線IV-IVに沿う断面図である。
【図５】図４に示す光コネクタユニットのハウジングにフェルールを嵌合接続した状態の説明図である。
【図６】図１に示す光コネクタを複数並設して形成した多極光コネクタユニットの平面図である。
【図７】図２に示す光コネクタのフェルールの変形例を示す側面図である。
【図８】図７に示すフェルールの平面図である。
【図９】図７に示すハウジングのガイド部にフェルールを挿入した状態の説明図である。
【図１０】図７に示す光コネクタを複数並設して形成した多極光コネクタユニットの平面図である。
【図１１】図１０に示す多極光コネクタユニットの光ファイバ側から見た後面図である。
【図１２】図１１に多極光コネクタユニットにスライドガイド補助部材を取り付けた状態の平面図である。
【図１３】図１２に示す多極光コネクタユニットの側面図である。
【図１４】図１２に示す多極光コネクタユニットを光接続した状態の平面図である。
【図１５】図１４に示す多極光コネクタユニットの側面図である。
【図１６】図１５に示す多極光コネクタユニットの断面図である。
【図１７】図１に示す光コネクタユニットの変形例を示す平面図である。
【図１８】図１７に示す光コネクタユニットの矢線XVIII-XVIIIに沿う断面図である。
【図１９】光コネクタユニットの一例を示す平面図である。
【図２０】図１９に示す光コネクタユニットのハウジングにフェルールを組み込む場合の説明図である。
【図２１】図１９に示す光コネクタユニットのハウジングにフェルールを嵌合接続した状態の断面図である。
【符号の説明】
【００５２】
１    光コネクタユニット
２    筐体
３    ハウジング
３ａ    接続口
４    フェルール
５    光コネクタ
６    光素子
７    光ファイバ
８    基板
１１    光コネクタユニット
１２    筐体
１３    ハウジング
１３ａ    側壁
１３ｂ    底部
１３ｃ    接続口
１３ｄ    ガイド部（延在部）
１３ｅ    ガイド溝
１３ｆ    係合部（先端部）
１３ｇ    嵌合孔
１３ｈ    係合突部
１４，１４’    フェルール
１４ａ    側壁
１４ｂ，１４ｂ’    先端部
１４ｃ    下面
１４ｄ    ガイドリブ
１４ｅ    摺動部
１４ｆ，１４ｆ’    係合突部
１４ｈ    指掛部
１４ｉ    後部
１４ｊ    前部
１５    光コネクタ
１６    光素子
１６ａ    受光面
１７，１７’    光ファイバ
１８    基板
２０，２１    多極光コネクタユニット
２２    スライドガイド補助部材
２２ａ    上壁
２２ｂ    側壁
２２ｃ    後端部
２２ｄ    切欠（係合凹部）
２２ｅ    後壁
２２ｆ    スリット
２２ｇ    係合孔
３１    光コネクタユニット
３２    筐体
３３    ハウジング
３３ａ    側壁
３３ｂ，３３ｂ’    底部
３３ｃ，３３ｃ’    接続口
３３ｄ，３３ｄ’    ガイド部
３３ｆ，３３ｆ’    係合部
３３ｇ，３３ｇ’    嵌合孔
【図１】
0004593388.tif 000002
【図２】
0004593388.tif 000003
【図３】
0004593388.tif 000004
【図４】
0004593388.tif 000005
【図５】
0004593388.tif 000006
【図６】
0004593388.tif 000007
【図７】
0004593388.tif 000008
【図８】
0004593388.tif 000009
【図９】
0004593388.tif 000010
【図１０】
0004593388.tif 000011
【図１１】
0004593388.tif 000012
【図１２】
0004593388.tif 000013
【図１３】
0004593388.tif 000014
【図１４】
0004593388.tif 000015
【図１５】
0004593388.tif 000016
【図１６】
0004593388.tif 000017
【図１７】
0004593388.tif 000018
【図１８】
0004593388.tif 000019
【図１９】
0004593388.tif 000020
【図２０】
0004593388.tif 000021
【図２１】
0004593388.tif 000022